(57)【要約】【課題】透光管内周面におけるＬＥＤチップの照射面の変更が可能となるようにし、以て、誘虫機能を維持しつつ長期間に亘る使用が可能となる誘虫ランプを提供することを課題とする。【解決手段】円筒状の透光管１内に、ＬＥＤチップ７を複数備えた長尺のＬＥＤ実装基板６を嵌装して成り、ＬＥＤ実装基板６は透光管１内における嵌装位置の変更が可能であり、透光管１内におけるＬＥＤ実装基板６の嵌装位置を変更することにより、透光管内周面におけるＬＥＤチップ７の照射面が変わるようにした。【選択図】図２
2020005582.tif 000002
【特許請求の範囲】
【請求項１】
円筒状の透光管内に、ＬＥＤチップを複数備えた長尺のＬＥＤ実装基板を嵌装して成り、
前記ＬＥＤ実装基板は前記透光管内における嵌装位置の変更が可能であり、前記透光管内における前記ＬＥＤ実装基板の嵌装位置を変更することにより、前記透光管内周面における前記ＬＥＤチップ照射部位が変わるようにしたことを特徴とする誘虫ランプ。
【請求項２】
前記ＬＥＤ実装基板は、基板ホルダーに担持されて前記透光管内に嵌装される、請求項１に記載の誘虫ランプ。
【請求項３】
前記基板ホルダーはその両端部が口金に固定されていて、前記口金を前記透光管に対して相対回転させることにより、前記基板ホルダーに担持された前記ＬＥＤ実装基板の前記透光管内における嵌装位置の変更が可能である、請求項２に記載の誘虫ランプ。
【請求項４】
前記ＬＥＤ実装基板を担持した前記基板ホルダーを、一方の口金を外して前記透光管内を回転操作することにより、前記基板ホルダーに担持された前記ＬＥＤ実装基板の前記透光管内における嵌装位置の変更が可能である、請求項２に記載の誘虫ランプ。
【請求項５】
前記ＬＥＤ実装基板を担持した前記基板ホルダーを、一方の口金を外して抜き取った後、その抜き取った位置とは異なる位置に再嵌装することにより、前記基板ホルダーに担持された前記ＬＥＤ実装基板の前記透光管内における嵌装位置の変更が可能である、請求項２に記載の誘虫ランプ。
【請求項６】
前記透光管の内周面に複数対のガイド手段が形成されると共に、前記基板ホルダーに前記透光管のガイド手段に対応する係止手段が設けられ、前記基板ホルダーの係止手段は、前記透光管のガイド手段のうちの任意の対に対して係合可能である、請求項５に記載の誘虫ランプ。
【請求項７】
前記基板ホルダーの前記ＬＥＤ実装基板担持面は平坦である、請求項２乃至６のいずれかに記載の誘虫ランプ。
【請求項８】
前記基板ホルダーの前記ＬＥＤ実装基板担持面は山形である、請求項２乃至６のいずれかに記載の誘虫ランプ。
【請求項９】
前記基板ホルダーは、その下側に配置される電源収納部と共に前記透光管内に嵌装される、請求項２乃至８のいずれかに記載の誘虫ランプ。
【請求項１０】
前記基板ホルダーの下側に電源収納部が一体成形されている、請求項２乃至８のいずれかに記載の誘虫ランプ。
【発明の詳細な説明】
【技術分野】
【０００１】
本発明は、誘虫ランプに関するものであり、より詳細には、例えば、食品工場、医薬品工場、容器包材工場等のように、昆虫の侵入を極力阻止する必要のある工場や施設に設置される捕虫器に用いるのに好適な誘虫ランプに関するものである。
【背景技術】
【０００２】
上記用途の捕虫器には、主に直管型の誘虫ランプが利用される。この誘虫ランプは一般に、特定波長の紫外線を発光するＬＥＤチップを複数並置した基板を、円筒形又は半円筒形の樹脂製透光管内に収装して形成される（特開２０１６−８６７３３号公報、特開２０１６−２０８９４４号公報）。
【０００３】
上記構成の誘虫ランプの場合、常に透光管の同じ部位がＬＥＤチップの照射に晒されることになり、その部位が次第に黄変してくる。それにより紫外線強度が低下して誘虫機能が低下するため、ＬＥＤチップは寿命が長く、更に継続使用が可能であるにも関わらず、全体を交換することを余儀なくされ、無駄が生じていた。
【先行技術文献】
【特許文献】
【０００４】
【特許文献１】特開２０１６−８６７３３号公報
【特許文献２】特開２０１６−２０８９４４号公報
【発明の概要】
【発明が解決しようとする課題】
【０００５】
上述したように、従来の捕虫器に用いられる誘虫ランプの場合は、長時間使用により透光管が黄変して紫外線強度が低下し、誘虫機能が低下するため、ＬＥＤチップは寿命が長く、更に継続使用が可能であるにも関わらず、全体を交換しなければならないために無駄が生ずるという問題があった。
【０００６】
本発明は、このような従来の誘虫ランプにおける問題を解決するためになされたもので、透光管内周面におけるＬＥＤチップの照射部位の変更が可能となるようにし、以て、誘虫機能を維持しつつ長期間に亘る使用が可能となる誘虫ランプを提供することを課題とする。
【課題を解決するための手段】
【０００７】
上記課題を解決するための請求項１に記載の発明は、円筒状の透光管内に、ＬＥＤチップを複数備えた長尺のＬＥＤ実装基板を嵌装して成り、前記ＬＥＤ実装基板は前記透光管内における嵌装位置の変更が可能であり、前記透光管内における前記ＬＥＤ実装基板の嵌装位置を変更することにより、前記透光管内周面における前記ＬＥＤチップ照射部位が変わるようにしたことを特徴とする誘虫ランプである。
【０００８】
通例、前記ＬＥＤ実装基板は、基板ホルダーに担持されて前記透光管内に嵌装される。
【０００９】
一実施形態においては、前記基板ホルダーはその両端部が口金に固定されていて、前記口金を前記透光管に対して相対回転させることにより、前記基板ホルダーに担持された前記ＬＥＤ実装基板の前記透光管内における嵌装位置の変更が可能である。
【００１０】
一実施形態においては、前記ＬＥＤ実装基板を担持した前記基板ホルダーを、一方の口金を外して前記透光管内を回転操作することにより、前記基板ホルダーに担持された前記ＬＥＤ実装基板の前記透光管内における嵌装位置の変更が可能である。
【００１１】
一実施形態においては、前記ＬＥＤ実装基板を担持した前記基板ホルダーを、一方の口金を外して抜き取った後、その抜き取った位置とは異なる位置に再嵌装することにより、前記基板ホルダーに担持された前記ＬＥＤ実装基板の前記透光管内における嵌装位置の変更が可能である。
【００１２】
一実施形態においては、前記透光管の内周面に複数対のガイド手段が形成されると共に、前記基板ホルダーに前記透光管のガイド手段に対応する係止手段が設けられ、前記基板ホルダーの係止手段は、前記透光管のガイド手段のうちの任意の対に対して係合可能である。
【００１３】
一実施形態においては、前記基板ホルダーの前記ＬＥＤ実装基板担持面は平坦であり、他の実施形態においては、前記基板ホルダーの前記ＬＥＤ実装基板担持面は山形である。また、一実施形態においては、前記基板ホルダーは、その下側に配置される電源収納部と共に前記透光管内に嵌装される。また、一実施形態においては、前記基板ホルダーの下側に電源収納部が一体成形される。
【発明の効果】
【００１４】
本発明は上記のとおりであって、本発明に係る誘虫ランプの場合、ＬＥＤ実装基板の透光管内における嵌装位置の変更が可能であって、透光管内周面におけるＬＥＤチップの照射部位の変更が可能であるため、適時ＬＥＤ実装基板の透光管内嵌装位置を変更することで、透光管の黄変に起因する紫外線強度低下を回避することができ、以て、誘虫機能を維持しつつ長期使用が可能となって、省コスト化・省資源化に資する効果がある。
【図面の簡単な説明】
【００１５】
【図１】本発明に係る誘虫ランプの中間省略全体図である。
【図２】本発明に係る誘虫ランプの第１の実施形態を示す分解斜視図である。
【図３】本発明に係る誘虫ランプの第１の実施形態を示す縦断面図である。
【図４】本発明に係る誘虫ランプの第２の実施形態を示す縦断面図である。
【図５】本発明に係る誘虫ランプの第３の実施形態を示す分解斜視図である。
【図６】本発明に係る誘虫ランプの第４の実施形態を示す縦断面図である。
【発明を実施するための形態】
【００１６】
本発明を実施するための形態につき、添付図面を参照しつつ説明する。図１は、本発明に係る誘虫ランプの中間省略全体図であり、そこに示されるように、本発明に係る誘虫ランプは、円筒形の透光管１の両端に口金２，３が嵌め付けられた構成のものである。
【００１７】
そして、本発明に係る誘虫ランプは、後述するように、透光管１内にＬＥＤチップ７を複数備えた長尺のＬＥＤ実装基板６が嵌装され、そのＬＥＤ実装基板６の透光管１内における嵌装位置を変更することが可能に構成される。かかる構成において、透光管１内におけるＬＥＤ実装基板６の嵌装位置を変えることにより、透光管１内周面におけるＬＥＤチップ照射部位を変更することが可能となる。通例、ＬＥＤ実装基板６は、基板ホルダー４に担持されて透光管１内に収装される。ＬＥＤ実装基板６の透光管１内における嵌装位置を変更させるための構成は、以下に述べるように種々考えられる。
【００１８】
図２，３に示す第１の実施形態においては、基板ホルダー４の両端部が口金２，３に直接固定される。この場合、口金２，３を透光管１に対して相対回転させることにより、即ち、口金２，３を押さえて透光管１を回転させ、あるいは、透光管１を押さえて口金２，３を回転させることにより、基板ホルダー４に担持されたＬＥＤ実装基板６の透光管１内における嵌装位置を変えることができる。この場合、透光管１の端部が、口金２，３の透光管１挿入部にある程度の摩擦力を持って嵌合されるように双方の径が設定される。あるいは、透光管１の端部外周面と口金２，３の内周面に、互いに係止し合う凹凸部を設けることとしてもよい。
【００１９】
口金２，３は、図示した例のように、一般の蛍光管の場合におけるような給電用口金としてもよいし（図１参照）、そこから給電用の配線を伸ばす構成であってもよい。透光管１は、通例、ポリカーボネート等の樹脂製円筒体であって、必要に応じ、光拡散機能を持たせる。ＬＥＤ実装基板６は、長尺の板材上に、ＬＥＤチップ７を適宜間隔置きに、１列又は２列配設したものである（図示した例では２列で、第１列のＬＥＤチップ７と第２列のＬＥＤチップ７が互いにずれるように配置されている）。ＬＥＤチップ７は、昆虫の可視域である３００〜７００ｎｍの波長を発するものとされる。図２において符号８は、給電部を示している。
【００２０】
第１の実施形態における基板ホルダー４は平板状で、その長辺側両側端にＬＥＤ実装基板６の側端縁を摺動可能に係止する摺動溝１０，１１が形成されている。この場合ＬＥＤ実装基板６は、基板ホルダー４の一端面から摺動溝１０，１１に差し込むことによって基板ホルダー４に装着されるので、差し替え交換が容易である。また、基板ホルダー４の両側面に、受け溝１２，１３が形成される。この受け溝１２，１３に、口金２，３を通してネジ（ボルト、ビス等を含む）１４，１５がねじ込まれることにより、基板ホルダー４が口金２，３に固定される（図２参照）。
【００２１】
また、第１の実施形態における基板ホルダー４は、その下側に配置される電源収納部５と共に透光管１内に嵌装される。電源収納部５は透光管１の全長に及ばせる必要はなく、電源収納に必要な長さあれば足りる。基板ホルダー４の受け溝１２，１３の下側に、下方に伸びる放熱板１７，１７が連設されることがあり、その場合、電源収納部５は、その放熱板１７，１７間に収まるようにして基板ホルダー４の下に配置される。
【００２２】
この第１の実施形態の場合は、基板ホルダー４及びこれに担持されたＬＥＤ実装基板６と口金２，３とが一体であるので、口金２，３を透光管１に対して適量相対回転させることにより、基板ホルダー４に担持されたＬＥＤ実装基板６の透光管１内における嵌装位置を変えることができる。このように、透光管１内におけるＬＥＤ実装基板６の嵌装位置を変更することにより、透光管１内周面におけるＬＥＤチップ照射部位を変更することができ、以て、透光管１内周面の黄変を防止することが可能となる。
【００２３】
上記第１の実施形態の場合の基板ホルダー４は平坦であるが、図４に示す第２の実施形態の場合の基板ホルダー４は山形を呈している。この場合は、その２つの緩傾斜面においてそれぞれＬＥＤ実装基板６を担持するため、上記摺動溝１０，１１が２対設けられる。その他の構成及び作用は、第１の実施形態の場合と変わらない。
【００２４】
上記第１及び第２の実施形態においては、基板ホルダー４と電源収納部５とが別体であるが、図５に示す第３の実施形態においては、基板ホルダー４と電源収納部５とが一体成形されている。即ち、受け溝１２，１３の下に、円弧状の電源収納部２０が連設されている。その他の構成及び作用は、第１及び第２の実施形態の場合と変わらない。
【００２５】
第４の実施形態は、一方の口金２（又は３）を外してＬＥＤ実装基板６を担持した基板ホルダー４を抜き取った後、その抜き取った位置とは異なる位置に再嵌装することにより、基板ホルダー４に担持されたＬＥＤ実装基板６の透光管１内における嵌装位置の変更を可能にしたものである。
【００２６】
図６は、この第４の実施形態を示す縦断面図で、透光管１の内周面に、その長さ方向に伸びるガイド手段であるガイド溝２１を複数対形成し（図６では３対）、基板ホルダー４の両側端部（上記受け溝１２，１３形成部）に、ガイド溝２１内に摺動可能に係合する突提２２を形成したものであり、その他の構成は、上記各実施形態に準じる。
【００２７】
この第４の実施形態の場合は、基板ホルダー４と電源収納部５の全体を引き抜き、基板ホルダー４の両側の突提２２を、それまで係合していたものとは異なる一対のガイド溝２１に係合させて押し込むことにより、透光管1の黄変した部位をＬＥＤチップ７の照射対象から外すことができる。
【００２８】
図示してないが、第５の実施形態は、ＬＥＤ実装基板６を担持した基板ホルダー４を、一方の口金２（又は３）を外して透光管１内を回転させるようにしたものである。例えば、この第５の実施形態は、基板ホルダー４を口金２，３にねじ止めすること以外、第１乃至第３の実施形態における形態をほぼそのまま採用し、側端部、即ち、受け溝１２，１３形成部分が透光管１の内周面に軽く当接するように構成したものである。なお、その場合は、受け溝１２，１３を形成する必要はない。
【産業上の利用可能性】
【００２９】
上記いずれの実施形態においても、基板ホルダー４の透光管１内への嵌装角度位置の変更が可能且つ容易であるため、長期使用によって透光管１の一部が黄変してきた場合、あるいは、黄変する前にそのＬＥＤ照射を受ける部位を変更することができる。かくして、本発明に係る誘虫ランプの場合、長期間に亘って誘虫機能が維持されて長期の使用が可能となり、製品寿命が延びるので、省コスト化・省資源化に大いに資するものであり、その産業上の利用可能性は大である。
【符号の説明】
【００３０】
１      透光管
２      口金    
３      口金  
４      基板ホルダー
５      電源収納部
６      ＬＥＤ実装基板
７      ＬＥＤチップ
８      給電部
１０    摺動溝
１１    摺動溝
１２    受け溝
１３    受け溝
１４    ネジ
１５    ネジ
１７    放熱板
２０    電源収納部
２１    ガイド溝
２２    突堤
【図１】
2020005582.tif 000003
【図２】
2020005582.tif 000004
【図３】
2020005582.tif 000005
【図４】
2020005582.tif 000006
【図５】
2020005582.tif 000007
【図６】
2020005582.tif 000008
【手続補正書】
【提出日】平成31年4月12日(2019.4.12)
【手続補正１】
【補正対象書類名】特許請求の範囲
【補正対象項目名】請求項１
【補正方法】変更
【補正の内容】
【請求項１】
円筒状の透光管内に、ＬＥＤチップを複数備えていて基板ホルダーに担持された長尺のＬＥＤ実装基板を嵌装して成り、
前記基板ホルダーはその両端部が、前記透光管に対して相対回転可能にされた口金に固定されていて、前記口金が前記透光管に対して相対回転操作されることにより、前記基板ホルダーに担持された前記ＬＥＤ実装基板の前記透光管内における嵌装位置の変更が可能であり、前記透光管内における前記ＬＥＤ実装基板の嵌装位置が変更されるに伴って、前記透光管内周面における前記ＬＥＤチップ照射部位が変わるようにしたことを特徴とする誘虫ランプ。
【手続補正２】
【補正対象書類名】明細書
【補正対象項目名】０００７
【補正方法】変更
【補正の内容】
【０００７】
上記課題を解決するための請求項１に記載の発明は、円筒状の透光管内に、ＬＥＤチップを複数備えていて基板ホルダーに担持された長尺のＬＥＤ実装基板を嵌装して成り、前記基板ホルダーはその両端部が、前記透光管に対して相対回転可能にされた口金に固定されていて、前記口金が前記透光管に対して相対回転操作されることにより、前記基板ホルダーに担持された前記ＬＥＤ実装基板の前記透光管内における嵌装位置の変更が可能であり、前記透光管内における前記ＬＥＤ実装基板の嵌装位置が変更されるに伴って、前記透光管内周面における前記ＬＥＤチップ照射部位が変わるようにしたことを特徴とする誘虫ランプである。